(57)【特許請求の範囲】
【請求項１】
レンズを保持するとともに光軸方向に移動可能な移動体と、
バネ部材を介して前記移動体を支持する支持体と、
コイルを備え、前記移動体を光軸方向に駆動する磁気駆動機構と、を有するレンズ駆動装置において、
前記移動体は、コイルが巻回されるコイル巻回部と、光軸方向における当該コイル巻回部の範囲を規制する一方の端部及び他方の端部と、少なくともこれら端部のどちらかに形成され、前記コイルの送り方向を転換する転換部と、を備えるとともに、
前記転換部が形成された端部とは異なる端部の近傍に配置された前記バネ部材に、前記コイルの巻き始めと巻き終わりが電気的に接続されることを特徴とするレンズ駆動装置。
【請求項２】
前記コイルは、前記異なる端部から前記転換部が形成された端部へと引導される引導部を有しており、
前記転換部によって前記コイルの送り方向が転換された後、前記引導部よりも前記移動体の径方向外側において巻回されることを特徴とする請求項１記載のレンズ駆動装置。
【請求項３】
前記コイル巻回部には、前記引導部を収納する凹部が形成されていることを特徴とする請求項２記載のレンズ駆動装置。
【請求項４】
前記コイル巻回部には、前記一方の端部及び他方の端部の間の中間位置に更に中間端部が設けられて、第１のコイル巻回部と第２のコイル巻回部とが形成され、
前記中間端部に、前記移動体の周方向における前記コイルの巻回方向を反転させるコイルガイド部が設けられ、
前記第１のコイル巻回部と前記第２のコイル巻回部には、１本のコイルが互いに逆方向となるように巻回されていることを特徴とする請求項１から３のいずれか記載のレンズ駆動装置。
【請求項５】
前記磁気駆動機構は、前記第１のコイル巻回部と前記第２のコイル巻回部とに巻回された前記コイルと、前記コイルに対向するように前記光軸方向に２段に重ねて配置されたマグネットとを有し、
前記２段に重ねて配置されたマグネットは、それぞれ前記第１のコイル巻回部と前記第２のコイル巻回部に対し外周側で対向しているとともに、その内面が互いに異なる極に着磁されていることを特徴とする請求項４記載のレンズ駆動装置。
【請求項６】
前記コイルは、前記移動体の径方向外側に向かって奇数段となるように巻回されることを特徴とする請求項１から５のいずれか記載のレンズ駆動装置。
【請求項７】
レンズを保持するとともに光軸方向に移動可能な移動体と、バネ部材を介して前記移動体を支持する支持体と、コイルを備え、前記移動体を光軸方向に駆動する磁気駆動機構と、を有し、
前記移動体は、コイルが巻回されるコイル巻回部と、光軸方向における当該コイル巻回部の範囲を規制する一方の端部及び他方の端部と、少なくともこれら端部のどちらかに形成され、前記コイルの送り方向を転換する転換部と、を備えるレンズ駆動装置において当該コイルを当該移動体に巻回するコイル巻回方法であって、
前記転換部が形成された端部とは異なる端部から、前記転換部が形成された端部へと前記コイルを引導する引導工程と、
前記転換部において前記コイルの送り方向を転換する転換工程と、
前記コイル巻回部に前記コイルを巻回する巻回工程と、を含むことを特徴とするコイル巻回方法。
【請求項８】
前記コイル巻回部には、前記一方の端部及び他方の端部の間の中間位置に更に中間端部が設けられて、第１のコイル巻回部と第２のコイル巻回部とが形成され、
前記中間端部に、前記移動体の周方向における前記コイルの巻回方向を反転させるコイルガイド部が設けられており、
前記巻回工程は、１本のコイルを、前記第１のコイル巻回部において一方向に巻回する第１巻回工程と、
前記コイルガイド部において前記移動体の周方向における前記コイルの巻回方向を反転させる反転工程と、
前記第２のコイル巻回部において前記一方向とは反対の他方向に前記コイルを巻回する第２巻回工程と、を含むことを特徴とする請求項７記載のコイル巻回方法。
【発明の詳細な説明】
【技術分野】
【０００１】
本発明は、レンズを光軸方向に変位駆動して被写体の像を結像させるレンズ駆動装置及びコイル巻回方法に関する。
【背景技術】
【０００２】
近年、カメラが搭載されたカメラ付き携帯電話機が普及するにつれ、その携帯電話機を用いて様々な被写体を撮影する機会が増えている。例えば、友人や風景など、カメラのレンズからある程度離れた被写体を撮影（通常撮影）したり、バスの時刻表や花びらなど、カメラのレンズと近接した位置にある被写体を撮影（接写撮影）したりする場合がある。
【０００３】
接写撮影（マクロ撮影）の場合、カメラのレンズ位置は、通常撮影時のレンズ位置よりも、僅かに被写体側に近づいた位置にする必要がある。そのため、この種の撮影レンズ系では、レンズを光軸方向に変位駆動する駆動機構を備えており、スイッチの切り替えによってこの駆動機構を駆動し、レンズを光軸方向に移動させることができるようになっている（例えば特許文献１参照）。
【０００４】
特許文献１に開示されたレンズ駆動装置は、移動レンズ体と、移動レンズ体を光軸方向に移動させる駆動機構と、移動レンズ体を光軸方向に移動可能に支持する固定体と、移動レンズ体の移動を規制する規制手段（板バネ）とを有している。また、駆動機構は、マグネットとコイルを有している。このような構成において、コイルに電流を供給して電磁力を発生させる一方、規制手段によって電磁力に対向する規制力を発生させ、両者の大きさを調整することによって、移動レンズ体を所望の位置に停止させることができる。
【０００５】
ここで、上述した規制手段（板バネ）は、レンズ駆動装置が組み込まれる外部機器（例えばカメラ付き携帯電話機）との電気的接点としても機能する。そして、一般的に、電気的接点として機能する規制手段はレンズ駆動装置の下端（撮像素子が存在する側）にある。コイルが上下２段に分かれた構造の場合には、例えば、まず下段のコイルを巻回して、その次に上段のコイルを巻回する。下段における巻き始め部分については、先に巻いた線の上から後に巻く線が巻かれるため、この巻き始め部分がほぐれることは想定し難い。
【０００６】
【特許文献１】特開２００７−９４３６４号公報
【発明の開示】
【発明が解決しようとする課題】
【０００７】
しかしながら、上段における巻き終わり部分については、下段における巻き始め部分とは異なり、線を拘束するものがないことから、この巻き終わり部分はほぐれやすくなる。
【０００８】
すなわち、コイルが上下２段に分かれた構造の場合、下段のコイルから上段のコイルに繋げるために、下段のコイルは、移動レンズ体（移動体）の径方向外側に向かって奇数段となるように巻回する。そして、上段下段ともほぼ同じ電磁力を発生させるようにするため、上段も下段も同じ段数だけ巻回すると、上段のコイルの巻き終わり部分は、巻き始め部分と反対側で終わることになり（移動レンズ体の上端付近）、そこで接着剤等を用いてコイルの巻き終わりの部分を仮止めしてから移動レンズ体の下方へもっていくと、巻き終わり部分がほぐれやすくなる。なお、上段から先に巻回する場合は、逆に、巻き始め部分がほぐれやすくなる。また、このような課題は、コイルが上下２段に分かれていない構造であっても生ずる。
【０００９】
本発明は、以上の点に鑑みてなされたものであり、その目的は、コイル線のほぐれを防ぐことが可能なレンズ駆動装置及びコイル巻回方法を提供することにある。
【課題を解決するための手段】
【００１０】
以上のような課題を解決するために、本発明は、以下のものを提供する。
【００１１】
（１）  レンズを保持するとともに光軸方向に移動可能な移動体と、バネ部材を介して前記移動体を支持する支持体と、コイルを備え、前記移動体を光軸方向に駆動する磁気駆動機構と、を有するレンズ駆動装置において、前記移動体は、コイルが巻回されるコイル巻回部と、光軸方向における当該コイル巻回部の範囲を規制する一方の端部及び他方の端部と、少なくともこれら端部のどちらかに形成され、前記コイルの送り方向を転換する転換部と、を備えるとともに、前記転換部が形成された端部とは異なる端部の近傍に配置された前記バネ部材に、前記コイルの巻き始めと巻き終わりが電気的に接続されることを特徴とするレンズ駆動装置。
【００１２】
本発明によれば、移動体と、支持体と、磁気駆動機構とを有するレンズ駆動装置において、移動体には、コイル巻回部と、光軸方向におけるコイル巻回部の範囲を規制する一方の端部及び他方の端部と、少なくともこれらの端部のどちらかに形成され、コイルの送り方向を転換する転換部とが設けられている。また、コイルの巻き始めと巻き終わりが電気的に接続されるバネ部材は、その転換部が形成された端部とは異なる端部の近傍に配置されている。そうすると、巻き始め付近か、或いは、巻き終わり付近において、転換部を通じてコイルの送り方向を転換し、コイルにテンションをかけることができる。その結果、コイル線のほぐれを防ぐことができる。
【００１３】
特に、従来は、（電気的接点としての）バネ部材がある側とは反対側の端部から、バネ部材がある側の端部にコイルを引導する際に、その引導作業を人手で行う場合が多かった。しかし、本発明に係るレンズ駆動装置によれば、転換部によってコイルにテンションをかけることができるので、その引導作業をもコイル巻線機等の機械に行わせることができ、ひいてはコイルの巻回時間を短縮化することができる。なお、機械を用いることで、作業性を向上することもできる。
【００１４】
（２）  前記コイルは、前記異なる端部から前記転換部が形成された端部へと引導される引導部を有しており、前記転換部によって前記コイルの送り方向が転換された後、前記引導部よりも前記移動体の径方向外側において巻回されることを特徴とするレンズ駆動装置。
【００１５】
本発明によれば、上述したコイルは、異なる端部から、転換部が形成された端部へと引導される引導部を有しており、転換部によってコイルの送り方向が転換された後、引導部よりも移動体の径方向外側において巻回されることとしたので、その引導部が他の部品に接触するのを防ぐことができる。その結果、コイルの引導部の断線を防止することができる。
【００１６】
（３）  前記コイル巻回部には、前記引導部を収納する凹部が形成されていることを特徴とするレンズ駆動装置。
【００１７】
本発明によれば、上述したコイル巻回部には、引導部を収納する凹部が形成されているので、引導部の径方向外側を巻回する際に、引導部のところで出っ張ることがない（凸状になることがない）。したがって、整列巻きを綺麗に行うことができる。また、出っ張りがないことで、引導部が、レンズ駆動装置の小型化への障壁となるのを防ぐことができる。
【００１８】
（４）  前記コイル巻回部には、前記一方の端部及び他方の端部の間の中間位置に更に中間端部が設けられて、第１のコイル巻回部と第２のコイル巻回部とが形成され、前記中間端部に、前記移動体の周方向における前記コイルの巻回方向を反転させるコイルガイド部が設けられ、前記第１のコイル巻回部と前記第２のコイル巻回部には、１本のコイルが互いに逆方向となるように巻回されていることを特徴とするレンズ駆動装置。
（５）  前記磁気駆動機構は、前記第１のコイル巻回部と前記第２のコイル巻回部とに巻回された前記コイルと、前記コイルに対向するように前記光軸方向に２段に重ねて配置されたマグネットとを有し、前記２段に重ねて配置されたマグネットは、それぞれ前記第１のコイル巻回部と前記第２のコイル巻回部に対し外周側で対向しているとともに、その内面が互いに異なる極に着磁されていることを特徴とするレンズ駆動装置。
【００１９】
本発明によれば、上述した移動体には、移動体の周方向におけるコイルの巻回方向を反転させるコイルガイド部が設けられていることとしたので、コイルが上下２段に分かれている場合であって、上段と下段とで巻回方向を逆にしたいときであっても、コイルガイド部を通じて簡単にコイルの巻回方向を反転させることができる。
【００２０】
（６）  前記コイルは、前記移動体の径方向外側に向かって奇数段となるように巻回されることを特徴とするレンズ駆動装置。
【００２１】
本発明によれば、上述したコイルは、移動体の径方向外側に向かって奇数段となるように巻回されることとしたので、コイルが上下２段に分かれている場合に、コイルの巻き数をなるべく増やしつつ、コイルを上段から下段へ導く、或いは、コイルを下段から上段へと導くことができる。
【００２２】
（７）  レンズを保持するとともに光軸方向に移動可能な移動体と、バネ部材を介して前記移動体を支持する支持体と、コイルを備え、前記移動体を光軸方向に駆動する磁気駆動機構と、を有し、当該移動体は、コイルが巻回されるコイル巻回部と、光軸方向における当該コイル巻回部の範囲を規制する一方の端部及び他方の端部と、少なくともこれら端部のどちらかに形成され、前記コイルの送り方向を転換する転換部と、を備えるレンズ駆動装置において、当該コイルを当該移動体に巻回するコイル巻回方法であって、前記転換部が形成された端部とは異なる端部から、前記転換部が形成された端部へと前記コイルを引導する引導工程と、前記転換部において前記コイルの送り方向を転換する転換工程と、前記コイル巻回部に前記コイルを巻回する巻回工程と、を含むことを特徴とするコイル巻回方法。
【００２３】
本発明によれば、移動体と、支持体と、磁気駆動機構とを有し、移動体は、コイル巻回部と、光軸方向におけるコイル巻回部の範囲を規制する一方の端部及び他方の端部と、少なくともこれらの端部のどちらかに形成され、コイルの送り方向を転換する転換部とを備えるレンズ駆動装置において、コイルを移動体に巻回するコイル巻回方法であって、転換部が形成された端部とは異なる端部から、転換部が形成された端部へとコイルを引導する引導工程と、転換部においてコイルの送り方向を転換する転換工程と、コイル巻回部にコイルを巻回する巻回工程と、を含むこととしたので、転換工程を通じて、コイルの送り方向を転換し、コイルにテンションをかけることができ、ひいてはコイル線のほぐれを防ぐことができる。
【００２４】
（８）  前記コイル巻回部には、前記一方の端部及び他方の端部の間の中間位置に更に中間端部が設けられて、第１のコイル巻回部と第２のコイル巻回部とが形成され、前記中間端部に、前記移動体の周方向における前記コイルの巻回方向を反転させるコイルガイド部が設けられており、前記巻回工程は、１本のコイルを、前記第１のコイル巻回部において一方向に巻回する第１巻回工程と、前記コイルガイド部において前記移動体の周方向における前記コイルの巻回方向を反転させる反転工程と、前記第２のコイル巻回部において前記一方向とは反対の他方向に前記コイルを巻回する第２巻回工程と、を含むことを特徴とするコイル巻回方法。
【００２５】
本発明によれば、上述した移動体には、移動体の周方向におけるコイルの巻回方向を反転させるコイルガイド部が設けられており、巻回工程は、一方向に前記コイルを巻回する第１巻回工程と、コイルガイド部において移動体の周方向におけるコイルの巻回方向を反転させる反転工程と、上述の一方向とは反対の他方向にコイルを巻回する第２巻回工程と、を含むこととしたので、コイルを上下２段に分けて巻回する場合であっても、コイル線のほぐれを防ぐことができる。
【発明の効果】
【００２６】
本発明に係るレンズ駆動装置及びコイル巻回方法によれば、コイル線のほぐれを防ぐことができる。また、転換部を通じてコイルにテンションをかけることができるので、バネ部材がある側とは反対側の端部から、バネ部材がある側の端部にコイルを引導する際に、コイル巻線機等の機械を用いることができ、ひいてはコイルの巻回時間を短縮化することができる。
【発明を実施するための最良の形態】
【００２７】
以下、本発明を実施するための最良の形態について、図面を参照しながら説明する。
【００２８】
［機械構成］
図１は、本発明の実施の形態に係るレンズ駆動装置１の外観構成を示す斜視図である。図２は、本発明の実施の形態に係るレンズ駆動装置１の機械構成を示す分解斜視図である。
【００２９】
図１及び図２において、レンズ駆動装置１は、ヨーク１１と、カバー１２と、スリーブ１３と、第１の板バネ１４と、第２の板バネ１５と、ワイヤースプリング１６と、マグネット１７と、コイル１８（第１のコイル１８１及び第２のコイル１８２）と、ホルダ１９と、を有している。
【００３０】
なお、レンズが組み込まれたレンズバレル（鏡筒）については、図示を省略している。また、レンズ駆動装置１は、スリーブ１３を光軸Ｌの方向に沿って、被写体（撮像対象）に近づくＡ方向（前側）、被写体とは反対側（像側）に近づくＢ方向（後側）の双方向に移動させるものである（図１参照）。また、一又は複数枚のレンズが組み込まれたレンズバレル（上述のとおり図示せず）を保持するスリーブ１３は、ワイヤースプリング１６等と併せて光軸Ｌの方向に移動可能に構成されており、「移動体」の一例に相当する。また、ヨーク１１、カバー１２やホルダ１９などは、第１の板バネ１４及び第２の板バネ１５を介してスリーブ１３等を光軸Ｌの方向に移動可能に支持する「支持体」の一例に相当する。また、スリーブ１３等は、コイル１８やマグネット１７を備える「磁気駆動機構」によって、光軸Ｌの方向に駆動される。
【００３１】
ヨーク１１は、例えば鋼板などの強磁性板から構成されている。また、ヨーク１１は、レンズ駆動装置１の前面及び側面で露出し、その中央には、被写体からの反射光をレンズに取り込むための円形の入射窓１１１が形成されている。一方、カバー１２は、ヨーク１１に取付けられ、その中央には、被写体からの反射光をレンズに取り込むための円形の入射窓１２１が形成されている。ホルダ１９は、像側で撮像素子（図示せず）を保持するものである。
【００３２】
コイル１８は、第１のコイル１８１及び第２のコイル１８２から構成され、これらは光軸Lの方向に２段に配置され、いずれも円環状となっている。そして、スリーブ１３の外周面に所定の間隔をおいて巻き付けられる。また、８個のマグネット１７が光軸方向に２段に重ねて配置されており、各段のマグネット１７は、前側のマグネット１７が第１のコイル１８１に対して及び後側のマグネット１７は第２のコイル１８２に対して外周側で対向し、図１等に示すように、外形がほぼ四角形状したヨーク１１の内周面のうち４箇所の角部分に固定される。
【００３３】
本実施形態では、マグネット１７は、いずれにおいても内面と外面とが異なる極に着磁されている。例えば、前側に配置された４個のマグネット１７は、その内面がＮ極に着磁され、外面がＳ極に着磁され、後側に配置された４個のマグネット１７は、その内面がＳ極に着磁され、外面がＮ極に着磁されている。
【００３４】
第１の板バネ１４及び第２の板バネ１５は、双方とも金属製の薄板から形成されており、光軸Ｌの方向における厚さを同じにしている。また、図２に示すように、第１の板バネ１４は、スリーブ１３の光軸方向の前端面に取り付けられ、第２の板バネ１５はスリーブ１３の光軸方向の後端面に取り付けられている。
【００３５】
なお、本実施の形態では、図２に示すように（符号せず）、第１の板バネ１４、第２の板バネ１５には、それぞれ円弧状のスリーブ側取り付け部と、カバー１２に取り付けられるカバー側取り付け部と、スリーブ側取り付け部とカバー側取り付け部との間に形成され、スリーブ１３の光軸方向への移動を規制（付勢）するアーム部と、を有し、各取り付け部には、溶着、接着またはこれら両者を用いて固定されている。また、第２の板バネ１５は、電気的に分離された２つのバネ片から構成され、外部電源からの電流をコイル１８に供給する際の媒体となるもので、コイル１８の巻き始めと巻き終わりを各バネ片のそれぞれに電気的に接続されている。
【００３６】
ヨーク１１は、第１のコイル１８１及び第２のコイル１８２が配置されている領域の光軸方向の寸法、および、マグネット１７の光軸方向の寸法よりも大きくなっているため、前側のマグネット１７と第１のコイル１８１との間に構成される磁路、及び、後側のマグネット１７と第２のコイル１８２との間に構成される磁路からの漏れ磁束を少なくすることができ、その結果、スリーブ１３の移動量と、第１のコイル１８１及び第２のコイル１８２に流す電流との間のリニアリティを向上させることができるようになっている。
【００３７】
レンズ駆動装置１は、円環状のワイヤースプリング（磁性部材）１６を備えている。ワイヤースプリング１６は、マグネット１７との間に作用する磁気吸引力により、スリーブ１３に対して光軸Ｌの方向の付勢力を印加する。このため、移動体（スリーブ１３等）がコイルの非通電時に自重で変位することを防止することができ、ひいては移動体（スリーブ１３等）に所望の姿勢を維持させることができるようになっている。
【００３８】
ここで、本実施形態に係るレンズ駆動装置１では、１本のコイル１８（第１のコイル１８１及び第２のコイル１８２）をスリーブ１３に巻回する際、その巻回方法に特徴がある。より具体的には、スリーブ１３に設けられた転換部１３３ａを用いて、コイル１８を巻回するようにしている。以下、この転換部１３３ａを用いたコイル巻回方法に関して、図３〜図７を用いて詳述する。
【００３９】
［コイル巻回方法］
図３は、レンズ駆動装置１からスリーブ１３及びコイル１８を抜き出したときの様子を示す斜視図である。図４は、図３に示すスリーブ１３からコイル１８を取り除いたときの様子を示す斜視図である。
【００４０】
図３及び図４に示すように、スリーブ１３は、光軸Ｌの方向を軸方向として形成され、第１のコイル１８１が巻かれる第１のコイル巻回部１３１及び第２のコイル１８２が巻かれる第２のコイル巻回部１３２（いずれも凹部形状）と、コイル１８を所定の位置または巻回方向に案内する第１の端部１３３，第２の端部１３４，及び第３の端部１３５と、を有している。
【００４１】
第１の端部１３３，第２の端部１３４，及び第３の端部１３５は、いずれも光軸方向における第１のコイル巻回部１３１及び第２のコイル巻回部１３２の範囲を規制する機能も有している。また、本実施形態では、前側に配置された４個のマグネット１７の内面がＮ極に、後側に配置された４個のマグネット１７の内面がＳ極に着磁されているので、第１のコイル巻回部１３１と第２のコイル巻回部１３２に巻回される第１のコイル１８１と第２のコイル１８２の巻回方向は、互いに逆方向となっている。これにより、コイル１８に電流を供給した際、発生する力（推力）は同じ方向となるようにしている。
【００４２】
具体的には、第１のコイル巻回部１３１と第２のコイル巻回部１３２との間に配置された第２の端部１３４におけるコイルガイド部１３４ａで、コイル１８の巻回方向を変える。すなわち、第２のコイル巻回部１３２に巻回されたコイル１８（第２のコイル１８２）は、第２の端部１３４におけるコイルガイド部１３４ａによって、その巻回方向が第１のコイル１８１と逆方向になる。このように、コイルガイド部１３４ａは、スリーブ１３の周方向におけるコイル１８の巻回方向を反転させる機能を有している。コイル１８を実際に巻回している様子は、図５〜図７を用いて後述する。
【００４３】
ここで、本実施形態に係るレンズ駆動装置１では、光軸方向において第１の端部１３３と同じ位置に、コイル１８の送り方向を転換する転換部１３３ａが設けられている。この転換部１３３ａは、コイル１８を第１のコイル巻回部１３１から巻回しようとする場合に、コイル１８にテンションをかけるために用いられる。具体的にテンションをかけている様子は、図５〜図７を用いて後述する。なお、本実施形態では、第１の端部１３３と同じ位置に転換部１３３ａが設けられているが、本発明はこれに限られず、例えば、光軸方向において第２の端部１３４や第３の端部１３５と同じ位置に設けられていてもよい。また、本実施形態では、転換部１３３ａは１個しか設けられていないが、複数個設けられていてもよい。例えば、後述する凹部１３３ｂを挟んで２個設けておくことで、第１のコイル巻回部１３１におけるコイル１８の巻回方向に拘わらず、コイル１８にテンションをかけることができる。その他、転換部１３３ａの大きさ・形状・などの如何は問わない。また、転換部１３３ａは、スリーブ１３の径方向外側に突出する形状となっているが、その高さの如何も問わない。さらに、スリーブ１３と一体的に構成されていてもよいし、既存のスリーブ１３に転換部１３３ａを後付けしてもよい。
【００４４】
上述した第２の板バネ１５は、転換部１３３ａが形成された第１の端部１３３とは異なる第３の端部１３５の近傍に配置される。なお、本実施形態では、第１の端部１３３の一部を欠くことによって、第１の端部１３３のうちの他の部分から位置的に独立した場所に、転換部１３３ａが形成されている。
【００４５】
凹部１３３ｂは、第３の端部１３５から転換部１３３ａが形成されている第１の端部１３３へと引導される、コイル１８の引導部１８ａ（後述する図５参照）を収納する。この凹部１３３ｂが存在することで、コイル１８の引導部１８ａのところで出っ張るのを防ぐことができ、ひいては整列巻きを綺麗に行うことができる。なお、凹部１３３ｂの溝の深さについては、コイル１８が１本埋まる深さ以上の深さであれば、コイル１８が出っ張ることはない。
【００４６】
なお、本実施形態では、コイル１８を上下２段に分けて巻回するようにしてあるので、第１のコイル巻回部１３１の範囲を規制するのが、第１の端部１３３と第２の端部１３４、第２のコイル巻回部１３２の範囲を規制するのが、第２の端部１３４と第３の端部１３５、となっているが、本発明はこれに限られず、例えば上下２段に分けずに巻回する場合には、そのコイル巻回部の範囲を規制するのは、第１の端部１３３と第３の端部１３５となる。
【００４７】
図５〜図７は、図４に示すスリーブ１３にコイル１８を巻回する様子を示す図である。具体的には、図５は、スリーブ１３の斜視図であって、図６は、スリーブ１３の側面図であって、図７は、スリーブ１３の平面図である。
【００４８】
図５〜図７において、まず、第１のコイル巻回部１３１に第１のコイル１８１を巻回するために、コイル１８を第３の端部１３５側から第１の端部１３３側へと引導する。この際、第３の端部１３５から第１の端部１３３へと引導される部分を引導部１８ａとし、上述した凹部１３３ｂを通過させる。そして、上述した転換部１３３ａに引っ掛けて（図５及び図６参照）、第１のコイル巻回部１３１に第１のコイル１８１を巻回し始める。すなわち、転換部１３３ａによって、コイル１８の送り方向が転換された後、引導部１８ａよりもスリーブ１３の径方向外側において巻回されることになる。なお、第３の端部１３５には、光軸方向の端面に、複数の位置決め用ピン１３５ｄが形成されており、第２の板バネ１５が位置決めされながら取り付けられている。そのため、本実施の形態において、巻回される際（コイル１８を引導する前）、位置決め用ピン１３５ｄのいずれかのピンに、コイル１８の巻き始め端部をからげて仮止めしている。これにより、コイル巻回時にテンションをかけて巻回することができるようにしている。また、位置決め用ピン１３５ｄにからげられた巻き始め端部は、コイル巻回後、第２の板バネ１５の１つのバネ片に半田付け等で電気的に接続されるようになっている。
【００４９】
このように、まずは、転換部１３３ａが形成された第１の端部１３３とは異なる第３の端部１３５から、転換部１３３ａが形成された第１の端部１３３へとコイル１８を引導する「引導工程」が行われる。そして、転換部１３３ａにおいて、コイル１８の送り方向を転換する「転換工程」が行われる。
【００５０】
次に、第１のコイル巻回部１３１及び第２のコイル巻回部１３２にコイル１８を巻回する「巻回工程」が行われる。具体的には、一方向（本実施形態では、スリーブ１３を前側から見て、反時計回りの方向）にコイル１８を巻回する「第１巻回工程」が行われる。第１のコイル巻回部１３１に第１のコイル１８１を何度か巻回すると、凹部１３３ｂに存在する引導部１８ａが次第に覆われていく。
【００５１】
このとき、第１のコイル１８１はスリーブ１３の径方向外側に向けて３段重ねられる（図６では、３段重ねとなっている様子を、一部のみ図示している）。すなわち、第１の端部１３３に接する位置から順次コイル１８を巻回していき、第２の端部１３４に達すると、そこから折り返し、第１の端部１３３が存在する前側に向けて巻回する。そして、第１の端部１３３に達すると、そこから再び折り返し、第２の端部１３４が存在する後側に向けて巻回する。
【００５２】
このようにして、第１のコイル１８１はスリーブ１３の径方向外側に向けて３段重ねられることになる。なお、本実施形態では、３段重ねとしたが、本発明はこれに限られず、スリーブ１３の径方向外側に向かって奇数段となるように巻回すれば、何段であってもよい。例えば、コイル１８に電流が流れることに起因した電磁力を強めたければ、５段にしてもよいし、７段にしてもよい。
【００５３】
次に、第２の端部１３４に達した第１のコイル１８１は、図５及び図６に示すように、コイルガイド部１３４ａによって、巻回方向が反転される。これにより、一方向とは反対側の他方向（本実施形態では、スリーブ１３を前側から見て、時計回りの方向）に、第２のコイル１８２が巻回されるようになる。
【００５４】
このように、上述した「巻回工程」は、上述した「第１巻回工程」と、コイルガイド部１３４ａにおいてスリーブ１３の周方向におけるコイル１８の巻回方向を反転させる「反転工程」と、上述した一方向とは反対の他方向にコイル１８を巻回する「第２巻回工程」と、が含まれる。
【００５５】
最後に、第２のコイル巻回部１３２に第２のコイル１８２を巻回し終わると、コイル１８の巻き始めとは反対側に設けられたピン１３５ｃ（図７参照）にからげられて仮止めされる。これにより、巻回されたコイル１８がほぐれないようにしている。そして、２分割された第２の板バネ１５に、それぞれコイル１８の巻き始めと巻き終わりがそれぞれ電気的分離された状態となるように、半田等によって取り付けられる。これにより、第２の板バネ１５を通じて、外部からコイル１８に電流を供給することができる。なお、コイル巻回後、コイル１８の巻き終わりは、ピン１３５ｃから外して、第２の板バネ１５（のバネ片）に半田付け等により電気的に接続されている。
【００５６】
以上説明したコイル巻回方法によれば、コイル１８の引導部１８ａは、その後に巻いた第１のコイル１８１及び第２のコイル１８２によって覆われるため、コイル１８の巻き始めがほぐれるのを防ぐことができる。なお、上段から下段ではなく、逆に、下段から上段に巻回することも可能である。すなわち、第２のコイル巻回部１３２に第２のコイル１８２を巻回し、コイルガイド部１３４ａを通じて巻回方向を変え、第１のコイル巻回部１３１に第１のコイル１８１を巻回し、その後、転換部１３３ａに引っ掛けて、コイル１８の巻き終わり部分を、第３の端部１３５側へと導くこともできる。この場合、コイル１８の巻き終わり部分は第２のコイル１８２、第１のコイル１８１の表面（径方向外側面）を通って第３の端部１３５へと導くようになる。
【００５７】
また、本実施形態のように上下２段構成ではなく、１段構成であっても奇数段巻回した場合には本発明は適用可能である。すなわち、第１の端部１３３に転換部１３３ａとなる突起を設け、巻き始めの起点にしたり、巻き終わって後側へと引導する際の反転起点にしたりすることができる。
【００５８】
また、巻回数は奇数段に限定されるものではなく、偶数段でもよいが、この場合には、転換部の位置が本実施の形態とは異なる位置に設ける必要がある。
【００５９】
さらに、本実施の形態では、図７に示すように、ピン１３５ｃを、コイル１８の巻き始めとは反対側に設けられているが、巻き始め側にも、同様にピン１３５ｃを設けてもよい。
【００６０】
［基本動作］
本実施形態に係るレンズ駆動装置１において、移動体は、通常（第１のコイル１８１及び第２のコイル１８２のコイルの非通電時）は、撮像素子側（像側）に位置（保持）する。このとき、ワイヤースプリング１６は、マグネット１７との間に作用する磁気吸引力によって、移動体の変位を規制している。ただし、ワイヤースプリング１６とマグネット１７との距離はある程度保たれているため、ワイヤースプリング１６とマグネット１７との磁気吸引力が強くなり過ぎることはない。これにより、移動体の中心軸がずれるのを防ぎ、ひいてはチルト特性の悪化を防ぐことができる。
【００６１】
このような状態において、第１のコイル１８１及び第２のコイル１８２に電流を流すと、第１のコイル１８１及び第２のコイル１８２は、それぞれ上向き（前側）の電磁力を受けることになる。これにより、第１のコイル１８１及び第２のコイル１８２並びにスリーブ１３は、被写体側（前側）に移動し始める。
【００６２】
このとき、第１の板バネ１４とスリーブ１３の前端との間、及び第２の板バネ１５とスリーブ１３の後端との間には、それぞれスリーブ１３の移動を規制する弾性力が発生する。このため、スリーブ１３を前側に移動させようとする電磁力と、スリーブ１３の移動を規制する弾性力が釣り合ったとき、スリーブ１３は停止する。また、第１のコイル１８１及び第２のコイル１８２に、逆方向の電流を流すと、第１のコイル１８１及び第２のコイル１８２は、それぞれ下向き（後側）の電磁力を受けることになる。
【００６３】
その際、第１のコイル１８１及び第２のコイル１８２に流す電流量と、第１の板バネ１４及び第２の板バネ１５によってスリーブ１３に働く弾性力を調整することで、スリーブ１３（移動体）を所望の位置に停止させることができる。なお、電磁力と弾性力との釣り合いを利用してスリーブ１３を停止させることで、係止部等と係止させるように部材同士を接触させる場合と異なり、衝突音の発生を防ぐことができる。
【００６４】
［実施形態の主な効果］
以上説明したように、本実施形態に係るレンズ駆動装置１及びコイル巻回方法によれば、コイル１８の巻き始めの付近において、転換部１３３ａを通じてコイル１８の送り方向を転換し、コイル１８にテンションをかけることができるので（図５及び図６参照）、コイル１８の引導部１８ａのほぐれを防ぐことができる。特に、コイル１８の引導部１８ａにテンションをかけることができれば、コイル巻線機等の機械を用いることができ、ひいてはコイル巻回時間の短縮化を図ったり、コイル巻回作業の作業性を向上させたりすることができる。
【００６５】
また、スリーブ１３には凹部１３３ｂが形成され、その凹部１３３ｂの中に引導部１８ａが収納されるようにしているので、引導部１８ａが出っ張るのを防ぎ、ひいては綺麗な整列巻きを実現できる。また、出っ張りがなければ、レンズ駆動装置１の小型化への障壁となるのを防ぐことができる。
【００６６】
図５及び図６に示すように、コイル１８は、コイルガイド部１３４ａを通じて、その巻回方向が反転している。このように、コイルガイド部１３４ａを用いれば、簡単に巻回方向を反転することができる。また、図６に示すように、コイル１８は３段重ねられて巻回されている（本実施形態では、第１のコイル巻回部１３１においても第２のコイル巻回部１３２においても同様である）。これにより、コイル１８の巻き数を稼ぎつつ、手作業で行わなければならないコイルガイド部１３４ａの使用回数を減らすことができる。
【００６７】
なお、レンズ駆動装置１は、カメラ付き携帯電話機の他にも、様々な電子機器に取り付けることが可能である。例えば、ＰＨＳ，ＰＤＡ，バーコードリーダ，薄型のデジタルカメラ，監視カメラ，車の背後確認用カメラ，光学的認証機能を有するドア等である。
【産業上の利用可能性】
【００６８】
本発明に係るレンズ駆動装置及びコイル巻回方法は、コイルの巻き始め付近か、或いは、巻き終わり付近において、コイル線のほぐれを防ぐことが可能なものとして有用である。
【図面の簡単な説明】
【００６９】
【図１】本発明の実施の形態に係るレンズ駆動装置の外観構成を示す斜視図である。
【図２】本発明の実施の形態に係るレンズ駆動装置の機械構成を示す分解斜視図である。
【図３】レンズ駆動装置からスリーブ及びコイルを抜き出したときの様子を示す斜視図である。
【図４】図３に示すスリーブからコイルを取り除いたときの様子を示す斜視図である。
【図５】スリーブの斜視図である。
【図６】スリーブの側面図である。
【図７】スリーブの平面図である。
【符号の説明】
【００７０】
１  レンズ駆動装置
１１  ヨーク
１２  カバー
１３  移動体（スリーブ）
１４  第１の板バネ
１５  第２の板バネ
１６  ワイヤースプリング
１７  マグネット
１８  コイル
１９  ホルダ
【図１】
0004923226.tif 000002
【図２】
0004923226.tif 000003
【図３】
0004923226.tif 000004
【図４】
0004923226.tif 000005
【図５】
0004923226.tif 000006
【図６】
0004923226.tif 000007
【図７】
0004923226.tif 000008